(57)【要約】【課題】容器本体内部の液体が汚染されにくい液体容器を提供する。【解決手段】液体収容空間を形成する容器本体１と、キャップ３を嵌着可能に形成し、かつ、その内部で薬液を保持して定量ずつ滴下可能に形成した注液口部材２とを設けた液体容器であって、容器本体１の内部に液体を密封する密封部５と、密封部５を開封する開封部６とを設け、キャップ３を嵌着した状態で注液口部材２を容器本体１側に押し込んだときに、開封部６により密封部５を開封可能にし、液体が容器本体１の内部に逆流することを防止する逆止弁４を密封部５及び開封部６よりも液体収容空間側に設け、開封部６が、注液口部材２側から容器本体１側に向かって密封部５に貫入する。【選択図】図１
2010168123.tif 000002
【特許請求の範囲】
【請求項１】
液体収容空間を形成する容器本体と、
キャップを嵌着可能に形成し、かつ、その内部で薬液を保持して定量ずつ滴下可能に形成した注液口部材と、を設けた液体容器であって、
前記容器本体の内部に液体を密封する密封部と、前記密封部を開封する開封部とを設け、前記キャップを嵌着した状態で前記注液口部材を前記容器本体側に押し込んだときに、前記開封部により前記密封部を開封可能にし、前記液体が前記容器本体の内部に逆流することを防止する逆止弁を前記密封部及び開封部よりも液体収容空間側に設け、
前記開封部が、前記注液口部材側から前記容器本体側に向かって前記密封部に貫入する液体容器。
【請求項２】
前記容器本体は、その内部に収容した液体量に従って、前記容器本体内容積を変化させる可撓部を有する請求項１に記載の液体容器。
【発明の詳細な説明】
【技術分野】
【０００１】
本発明は、容器本体と注液口部材とを設けた液体容器に関する。
【背景技術】
【０００２】
従来、容器本体に収容した液体の滅菌状態を維持し、前記液体を長期保存するために、容器本体に密閉部を設けてその容器内部を外気から遮断することが提案されてきた。しかし、密閉部を設けた場合でも、前記密閉部を開封すれば、通常の容器の場合と同様に、外気が前記容器本体内部に流入したり、外気に晒された液体が前記容器本体内に逆流する。そのため、流入した外気や逆流した液体が容器本体内部の液体と混ざると、これらの気体や液体に含まれる微生物等が原因となって前記容器本体に収容された液体全部が汚染されるおそれがある。
前記容器が例えば点眼容器である場合には、点眼に際し、点眼容器の注液口は、涙や睫に触れて微生物等により汚染されることがある。そのため、涙や睫に接触した液体が、容器本体内部に逆流すると、容器本体内部に収容された液体の全てが汚染されることになり、容器本体内部の滅菌状態を維持できなくなってしまう。また、ひとたび容器内部に微生物等が流入すると、微生物等による汚染は、時間の経過とともに増大する傾向がある。
【０００３】
他方、容器本体に収容する液体にあらかじめ防腐剤を添加して対処するもできるが、防腐剤が人体に及ぼす影響を鑑みれば、防腐剤は可能な限り添加しないのが望ましい。
【０００４】
そこで、容器本体への逆流防止を目的とする種々の液体容器が検討されている。例えば、前記密閉部に逆止弁機能を持たせたもの（特許文献１）や、前記密閉部から前記注液口部に達した液体が容器内部に逆流するのを防止すべく逆止弁を設けたもの（特許文献２）などが提案されている。
【０００５】
【特許文献１】特開２００３−１６９８３９号公報
【特許文献２】特開２００３−２６２５０号公報
【発明の概要】
【発明が解決しようとする課題】
【０００６】
しかし、特許文献１では、前記密閉部は針孔の開閉自在な弾性体からなる逆止弁で構成されているので、前記逆止弁を開閉させるためには、前記逆止弁の前記注液口側から前記容器本体側へ移動する連通針が必要となる。すると、前記連通針は、前記逆止弁の前記注液口側に位置するときに、外気と接触する可能性がある。そして、この外気と接触した連通針が、前記逆止弁の前記注液口側から前記容器本体側へ移動することによって、前記容器本体内部が汚染されることがある。
【０００７】
また、特許文献２では、一見、注液口付近で汚染された液体が逆止弁を超えて容器本体側に逆流するのを防止できるように見える。しかし、前記逆止弁は前記密封部よりも注液口側に設けられているので、密閉部を開封可能とするためには、前記密封部と前記逆止弁とが分離できるように別部材としておく必要がある。すると、開封部（特許文献２における部材１０）が外気に晒されている状態で前記密封部を開封するので、前記容器本体内部が汚染される虞がある。
また、前記密封部を開封するとき、液体容器の使用者が、誤って前記密封部と前記逆止弁とを分離すれば、前記容器本体内部の液体や、容器本体の前記密封部の近傍は外気に晒されてしまう。
【０００８】
そこで、本発明の目的は、容器内部の液体が一層汚染されにくい液体容器を提供することにある。
【課題を解決するための手段】
【０００９】
本発明の液体容器の特徴構成は、液体収容空間を形成する容器本体と、キャップを嵌着可能に形成し、かつ、その内部で薬液を保持して定量ずつ滴下可能に形成した注液口部材と、を設けた液体容器であって、前記容器本体の内部に液体を密封する密封部と、前記密封部を開封する開封部とを設け、前記キャップを嵌着した状態で前記注液口部材を前記容器本体側に押し込んだときに、前記開封部により前記密封部を開封可能にし、前記液体が前記容器本体の内部に逆流することを防止する逆止弁を前記密封部及び開封部よりも液体収容空間側に設け、前記開封部が、前記注液口部材側から前記容器本体側に向かって前記密封部に貫入する点にある。
【００１０】
つまり、上記構成によると、前記開封部も前記密封部も、前記逆止弁よりも前記注液口部材に形成される注液口側に位置することになる。そのため、キャップを嵌着した状態で前記注液口部材を前記容器本体側に押し込んで、前記開封部により前記密封部を開封する際に、前記逆止弁と容器本体との間の部分を操作することなく開封作業を行える。従って、開封する過程で、前記逆止弁を介して前記容器本体内部に汚染が伝搬する虞がほとんどなくなる。
【００１１】
即ち、前記液体に防腐剤等の薬剤を添加しなくても、長期に渡って無菌状態で保存することが可能となる。
【００１２】
尚、上述の構成において、前記注液口部材は、前記容器本体に対して、前記開封部を前記密封部に非貫入状態に保持する第一姿勢と、前記開封部が前記密封部に貫入した状態とする第二姿勢とで姿勢変更可能に設けてあることが好ましい。
【００１３】
つまり、前記開封部が前記密封部に非貫入状態のとき、前記密封部は密封状態を維持できるから、前記容器本体内部の液体は、非汚染状態に維持される。前記開封部が前記密封部に貫入状態となると、前記密封部の密封状態は解除されて、前記液体を使用可能な状態となる。この姿勢変更を前記注液口部材の前記容器本体に対する押し込みによってするから、前記密封部を外気に露出させることなく姿勢変更操作することが可能となり、前記注液口部材内の空間、密閉部近傍において、汚染が発生するおそれを少なくできる。
【００１４】
本発明では、前記開封部が、前記注液口部材側から前記容器本体側に向かって前記密封部に貫入する。
【００１５】
この構成によると、前記開封部を注液口部材側に設けて、前記密封部を容器本体側に設けておけば、前記注液口部材を前記容器本体に押し込むことによって、前記開封部が前記密封部から離間あるいは接した第一姿勢から、前記密封部に貫入した第二姿勢に姿勢変更される。
前記開封部が、前記密封部に貫入した後は、前記密封部の密封は解除され、前記容器本体内部の液体を、前記密封部を介して前記注液口部材に形成される注液口に向かって移動させることができる状態となる。この際、逆止弁は密封部や開封部による影響を受けないので、密封部に達した液体が前記逆止弁を介して再び前記容器本体内部に逆流することがなく、また、外気が前記容器本体内部に流入することもない。そのため、前記容器本体内部の無菌状態を維持し続けることができる。
【００１６】
尚、このような構成を採用するに当たって、前記開封部と密封部とは、前記注液口部材と前記容器本体とに振り分けて設けてあっても良いし、どちらか一方にまとめて設けてあっても良い。また、前記注液口部材が開封部として機能するように構成することもできる。
【００１７】
また、前記容器本体は、その内部に収容した液体量に従って、前記容器本体内容積を変化させる可撓部を有することが好ましい。
【００１８】
前記逆止弁によって、前記密封部近傍に達した液体や注液口部材内部の気体が容器本体内部に逆流（流入）しないようにすると、前記容器本体内部の液体量は減少し、その結果として内圧が低下する。
当該液体量の減少量が少ないときには、容器本体内部は、若干の内圧低下となって、逆止弁の機能は良好に発揮される。しかし、当該液体量の減少量が多いときにおいて、前記容器本体の形状記憶性が高い場合には、容器本体の内圧の低下に伴って、容器本体内部に向かって液体を吸引する力が発生する。この結果、逆止弁が機能しなくなったり、前記液体を容器本体外に出すのに必要な力が増大することがある。
このような事態を排除するため、前記可撓部を設けた容器（例えば、蛇腹容器など）にすれば、前記容器本体内部の容積が前記容器本体内部の液体量の変化に応じて変形し、常に内圧を大気圧とほぼ同一に維持できる。そのため、逆止弁が適正に機能し、容器から注液することも容易になる。
【図面の簡単な説明】
【００１９】
【図１】本発明の液体容器の保管状態の縦断側面図
【図２】本発明の液体容器の使用開始状態の縦断側面図
【図３】本発明の参考例にかかる液体容器の縦断側面図
【発明を実施するための形態】
【００２０】
以下、本発明の液体容器の実施の形態を図面に基づいて説明する。
【実施例１】
【００２１】
図１、図２に示すように、本発明の液体容器は、容器本体１に注液口部材２を螺着して構成してある。
【００２２】
前記容器本体１は、主に液体を収容する液体収容空間を形成する樹脂製の胴部１１と、目薬用の薬液等の液体を前記胴部１１から容器本体外部に案内する筒状の中栓部１２とを備える。前記胴部１１と前記中栓部１２とは、別部材から形成してあり、一体に結合して容器本体１とする。また、前記胴部１１には、薄肉に形成してある可撓部１３を設けてある。
【００２３】
前記注液口部材２は、キャップ３を嵌着可能な筒状に形成してあり、一端部に注液口２１を形成するとともに、他端部に前記容器本体１の中栓部１２に螺着する螺着部２２を形成してある。また、前記注液口部材２の内部には、液体の流量を絞る絞り部２３を形成するとともに、前記注液口２１は、前記絞り部２３から、前記一端部にわたる注液口部材２内部で前記薬液を保持して定量ずつ滴下可能に形成してある。
【００２４】
前記容器本体１の前記中栓部１２には、逆止弁４を内嵌して設け、前記容器本体１の胴部１１から前記注液口部材２側に流出した薬液が、前記容器本体１の内部に逆流するのを防止する。前記逆止弁４の前記注液口部材２側には、薬液を前記容器本体１の内部に密封する樹脂膜からなる密封部５を設けてある。前記樹脂膜は中央部の破断に伴い、全体に大きく破断開口するものが好ましい。
【００２５】
前記注液口部材２には、開封部として機能する針部６１を有する開封部材６を内装し、キャップ３を嵌着した状態で前記注液口部材２を前記中栓部１２に螺入するに従って、前記開封部材６を前記密封部５に対して近接移動させ、嵌入させられるように配置固定する。
前記開封部材６は、前記注液口部材２の前記螺着部２２部分に内嵌される台部６２を備え、前記台部６２に前記針部６１を立設してある。これにより、前記開封部材６は、前記台部６２を前記注液口部材２に内嵌させた状態で、前記針部６１を前記注液口部材２の軸心に沿う下向き姿勢に内装保持される。
また、前記台部６２には孔部が設けてあり、容器本体側から前記注液口側への液体の通過を容易に形成してある。
【００２６】
前記注液口部材２は、前記キャップ３を嵌着した状態で、前記中栓部１２に部分的に螺入させた状態で保管される。この状態では、前記開封部材６は、前記中栓部１２内で、前記密封部５から離間あるいは接した非貫入状態の第一姿勢となっている（図１参照）。
この液体容器の使用開始時には、前記注液口部材２を、前記中栓部１２に対して螺入し、前記開封部材６の針部６１を、前記容器本体１側へ移動させると、前記開封部材６は、前記密封部５に貫入した第二姿勢に姿勢変更される（図２参照）。
これにより、前記容器本体１の内部の液体は、前記逆止弁４を介し、密封部５から前記注液口部材２の絞り部２３を通って、前記注液口２１から滴下可能に供給できる状態となる。このとき、前記絞り部２３と逆止弁４との間に形成される空間Ｓに液体が残留するが、この液体は、前記容器本体１の側へは逆流しない。また、外気が前記容器本体１の内部に流入することもない。
また、前記容器本体１には、薄肉で形状変化容易な可撓部１３を設けてあるから、前記容器本体１内部の容積が前記容器本体１内部の液体量の変化に応じて変形し、常に内圧を大気圧とほぼ同一に維持できる。そのため、前記注液口２１から容器本体１の内部への空気の吸い込みも発生しない。
【００２７】
〈参考例〉
上述の実施例における前記密封部５及び開封部材６は図３に示すように配置してあっても良い。
【００２８】
つまり、図３においては、前記開封部材６を前記注液口部材２に内嵌するのに代えて、前記容器本体１の中栓部１２に内嵌して、前記針部６１が前記注液口部材２の軸心に沿った前記注液口２１向きに配置してある。また、前記絞り部２３を非開口状態に設けて、密封部５としてある。
【００２９】
このような構成では、前記注液口部材２を前記中栓部１２に部分的に螺入させた状態での保管状態では、前記開封部材６は、前記注液口部材２内で、前記密封部５から離間あるいは接した非貫入状態の第一姿勢となっている（図３（ａ）参照）。
この液体容器の使用開始時には、前記注液口部材２を、前記中栓部１２に対して螺入し、前記密封部５を、前記容器本体１側へ移動させると、前記開封部材６の針部は、前記密封部５に貫入した第二姿勢に姿勢変更される（図３（ｂ）参照）。
この際、前記針部６１は、軸心回りで回転しながら前記密封部５に貫入するから、前記注液口部材２がある程度硬質のものであっても、容易に前記絞り部２３を開口させることができる。そのため、前記キャップ３を取り除いた際に容易に外側に露出する密封部５の絞り部２３形成予定部分を、開封しにくく形成しておく上で有利である。
また、このように前記密封部５に貫入した針部６１が、前記絞り部２３に貫入したままの状態で用いられる形態とするには、前記針部６１の外面に、軸心方向に沿う溝部６３を形成しておくと、液体が前記溝部６３を介して前記絞り部２３を通過することができるようになるので好ましい。
【００３０】
〈その他の実施例〉
上述の実施例における逆止弁４としては、種々公知の逆止弁を用いることができ、前記液体が前記容器本体１の内部に逆流することを防止することができればよい。
【００３１】
前記開封部材６は、針部６１を備えて構成したが、このような構成に代えて、押し込み刃を設けた構成等としてあっても良い。また、その保持姿勢についても前記注液口部材２や前記中栓部１２の軸心方向に沿うものの他、傾斜するものなどでも、前記注液口部材２の押し込み操作に伴い、前記密封部５を開封可能な姿勢であればよい。
【００３２】
また、前記注液口部材２を押し込み開封する際には、前記螺着部２２を設けて前記中栓部１２に螺入するのに代え、単に圧入して押し込む形態であっても良い。
【００３３】
前記液体としては目薬用の薬液の他種々液体を適用することができる。
【００３４】
また、可撓部１３を形成するには、容器本体１の一部を薄肉に形成するのに代えて、容器本体１の一部または全部を蛇腹状に形成して可撓に構成するなど、種々変形が可能である。
一方、容器本体１を、シリンダー・ピストン付き容器、底部に逆止弁を設けた弁付き容器等として、容器本体１内部の容積が容器本体内部の液体量の変化に応じて変形し、常に内圧を大気圧とほぼ同一に維持するように構成してもよい。
【００３５】
さらに、容器本体１内部に収容される液体の雑菌による汚染を抑制するために、前記液体の付着残留する部分（例えば注液口部材２、逆止弁４、開封部材６、中栓部１２等）を、抗菌樹脂から形成しておくことが好ましい。前記抗菌樹脂としては、樹脂基材に抗菌性物質を練り込んで形成されるものが一般的に用いられる。
【００３６】
また、前記絞り部２３と逆止弁４との間に形成される空間Ｓから注液口２１にかけて移動する液体を、抗菌効果を有する多孔質部材に対して接触させる事により、抗菌効果を高めることもできる。前記多孔質部材としては、有機、無機フィルターのいずれも採用でき、不織布状、スポンジ（軽石）状、綿状のものが用いられ、例えば、前記注液口２１に嵌着しておくことができる。
【００３７】
以上により、液体容器による液体保存性を高めることができ、液体が汚染されていない、信頼性の高い状態で使用できるようになったため、液体の取扱性を高めることができた。
【産業上の利用可能性】
【００３８】
本発明の液体容器は、例えば、主として医療用に用いられる点眼容器等に用いることが可能である。
【符号の説明】
【００３９】
１    容器本体
２    注液口部材
３    キャップ
４    逆止弁
５    密封部
６    開封部材
１３  可撓部
【図１】
2010168123.tif 000003
【図２】
2010168123.tif 000004
【図３】
2010168123.tif 000005